(57)【要約】【課題】画像形成中に環境条件が変化した場合であっても対処して適切なプリントが可能なように用紙プロファイルを管理する。【解決手段】画像データに基づいて用紙に画像形成する画像形成部と前記用紙の画像形成に関連する情報としての用紙プロファイルを記憶する記憶部と、環境条件を検知する検知部と、前記用紙プロファイルを管理すると共に、前記用紙プロファイルに基づいて前記画像形成部による前記用紙に対する画像形成を制御する制御部と、を有する画像形成装置で、前記用紙プロファイルに含まれるいずれかの項目のうち、１つの項目に対して環境条件に応じた複数の設定値を割り当てるように管理し、前記画像形成部で画像形成する際に、前記用紙プロファイルにおいて複数の設定値が割り当てられた項目に関しては、前記検知部で検知された前記環境条件に合致する設定値を適用するように前記制御部が制御する。【選択図】図１
2015001607.tif 000002
【特許請求の範囲】
【請求項１】
画像データに基づいて用紙に画像形成する画像形成部と、
前記用紙の画像形成に関連する情報としての用紙プロファイルを記憶する記憶部と、
環境条件を検知する検知部と、
前記用紙プロファイルを管理すると共に、前記用紙プロファイルに基づいて前記画像形成部による前記用紙に対する画像形成を制御する制御部と、
を有する画像形成装置であって、
前記制御部は、
前記用紙プロファイルに含まれるいずれかの項目のうち、１つの項目に対して環境条件に応じた複数の設定値を割り当てるように管理し、
前記画像形成部で画像形成する際に、前記用紙プロファイルにおいて複数の設定値が割り当てられた項目に関しては、前記検知部で検知された前記環境条件に合致する設定値を適用するように制御する、
ことを特徴とする画像形成装置。
【請求項２】
前記制御部は、
前記用紙プロファイルにおける特定の項目について、前記検知部で検知された前記環境条件に対応する設定値を新たに割り当てる、
ことを特徴とする請求項１に記載の画像形成装置。
【請求項３】
各種操作を受け付ける操作部を備え、
前記制御部は、前記用紙プロファイルにおいて複数の設定値を割り当て可能な項目に関しては、前記検知部で検知された前記環境条件に合致している設定値について、前記操作部での操作に応じて、入力もしくは変更を行う、
ことを特徴とする請求項１−２に記載の画像形成装置。
【請求項４】
各種操作を受け付ける操作部と、
各種表示を行う表示部とを備え、
前記制御部は、前記検知部で検知された前記環境条件を前記表示部に表示すると共に、前記用紙プロファイルにおいて複数の設定値を割り当て可能な項目に関して、前記操作部での操作に応じて、入力もしくは変更を行う、
ことを特徴とする請求項１−２に記載の画像形成装置。
【請求項５】
画像データに基づいて用紙に画像形成する画像形成部と、
前記用紙に後処理を施す後処理部と、
前記用紙への画像形成及び後処理に関連する情報としての用紙プロファイルを記憶する記憶部と、
環境条件を検知する検知部と、
前記用紙プロファイルを管理すると共に、前記用紙プロファイルに基づいて前記画像形成と前記後処理とを制御する制御部と、
を有する画像形成システムであって、
前記制御部は、
前記用紙プロファイルに含まれるいずれかの項目のうち、１つの項目に対して環境条件に応じた複数の設定値を割り当てるように管理し、
前記画像形成部で画像形成する際に、前記用紙プロファイルにおいて複数の設定値が割り当てられた項目に関しては、前記検知部で検知された前記環境条件に合致する設定値を適用するように制御し、
前記後処理部で後処理する際に、前記用紙プロファイルにおいて複数の設定値が割り当てられた項目に関しては、前記検知部で検知された前記環境条件に合致する設定値を適用するように制御する、
ことを特徴とする画像形成システム。
【請求項６】
前記制御部は、
前記用紙プロファイルにおける特定の項目について、前記検知部で検知された前記環境条件に対応する設定値を新たに割り当てる、
ことを特徴とする請求項５に記載の画像形成システム。
【請求項７】
各種操作を受け付ける操作部を備え、
前記制御部は、前記用紙プロファイルにおいて複数の設定値を割り当て可能な項目に関しては、前記検知部で検知された前記環境条件に合致している設定値について、前記操作部での操作に応じて、入力もしくは変更を行う、
ことを特徴とする請求項５−６に記載の画像形成システム。
【請求項８】
各種操作を受け付ける操作部と、
各種表示を行う表示部とを備え、
前記制御部は、前記検知部で検知された前記環境条件を前記表示部に表示すると共に、前記用紙プロファイルにおいて複数の設定値を割り当て可能な項目に関して、前記操作部での操作に応じて、入力もしくは変更を行う、
ことを特徴とする請求項５−６に記載の画像形成システム。
【請求項９】
画像データに基づいて用紙に画像形成する画像形成部と、
前記用紙の画像形成に関連する情報としての用紙プロファイルを記憶する記憶部と、
環境条件を検知する検知部と、
前記用紙プロファイルを管理すると共に、前記用紙プロファイルに基づいて前記画像形成部による前記用紙に対する画像形成を制御する制御部と、
を有する画像形成装置において使用される前記用紙プロファイルを管理する用紙プロファイル管理方法であって、
前記用紙プロファイルに含まれるいずれかの項目のうち、１つの項目に対して環境条件に応じた複数の設定値を割り当てるよう前記制御部が管理し、
前記画像形成部で画像形成する際に、前記用紙プロファイルにおいて複数の設定値が割り当てられた項目に関しては、前記検知部で検知された前記環境条件に合致する設定値を適用するように前記制御部が制御する、
ことを特徴とする用紙プロファイル管理方法。
【請求項１０】
前記用紙プロファイルにおける特定の項目について、前記検知部で検知された前記環境条件に対応する設定値を新たに割り当てるよう前記制御部が管理する、
ことを特徴とする請求項９に記載の用紙プロファイル管理方法。
【請求項１１】
前記画像形成装置は、各種操作を受け付ける操作部を備え、
前記用紙プロファイルにおいて複数の設定値を割り当て可能な項目に関しては、前記検知部で検知された前記環境条件に合致している設定値について、前記操作部での操作に応じて、入力もしくは変更を行うよう前記制御部が管理する、
ことを特徴とする請求項９−１０に記載の用紙プロファイル管理方法。
【請求項１２】
前記画像形成装置は、各種操作を受け付ける操作部と、各種表示を行う表示部とを備え、
前記検知部で検知された前記環境条件を前記表示部に表示すると共に、前記用紙プロファイルにおいて複数の設定値を割り当て可能な項目に関して、前記操作部での操作に応じて、入力もしくは変更を行うよう前記制御部が管理する、
ことを特徴とする請求項９−１０に記載の用紙プロファイル管理方法。
【請求項１３】
画像データに基づいて用紙に画像形成する画像形成部と、
前記用紙に後処理を施す後処理部と、
前記用紙への画像形成及び後処理に関連する情報としての用紙プロファイルを記憶する記憶部と、
環境条件を検知する検知部と、
前記用紙プロファイルを管理すると共に、前記用紙プロファイルに基づいて前記画像形成と前記後処理とを制御する制御部と、
を有する画像形成システムにおいて使用される前記用紙プロファイルを管理する用紙プロファイル管理方法であって、
前記用紙プロファイルに含まれるいずれかの項目のうち、１つの項目に対して環境条件に応じた複数の設定値を割り当てるように前記制御部が管理し、
前記画像形成部で画像形成する際に、前記用紙プロファイルにおいて複数の設定値が割り当てられた項目に関しては、前記検知部で検知された前記環境条件に合致する設定値を適用するように前記制御部が制御し、
前記後処理部で後処理する際に、前記用紙プロファイルにおいて複数の設定値が割り当てられた項目に関しては、前記検知部で検知された前記環境条件に合致する設定値を適用するように前記制御部が制御する、
ことを特徴とする用紙プロファイル管理方法。
【請求項１４】
前記用紙プロファイルにおける特定の項目について、前記検知部で検知された前記環境条件に対応する設定値を新たに割り当てるよう前記制御部が管理する、
ことを特徴とする請求項１３に記載の用紙プロファイル管理方法。
【請求項１５】
前記画像形成装置は、各種操作を受け付ける操作部を備え、
前記用紙プロファイルにおいて複数の設定値を割り当て可能な項目に関しては、前記検知部で検知された前記環境条件に合致している設定値について、前記操作部での操作に応じて、入力もしくは変更を行うよう前記制御部が管理する、
ことを特徴とする請求項１３−１４に記載の用紙プロファイル管理方法。
【請求項１６】
前記画像形成装置は、各種操作を受け付ける操作部と、各種表示を行う表示部とを備え、
前記検知部で検知された前記環境条件を前記表示部に表示すると共に、前記用紙プロファイルにおいて複数の設定値を割り当て可能な項目に関して、前記操作部での操作に応じて、入力もしくは変更を行うよう前記制御部が管理する、
ことを特徴とする請求項１３−１４に記載の用紙プロファイル管理方法。
【請求項１７】
画像データに基づいて用紙に画像形成する画像形成部と前記用紙の画像形成に関連する情報としての用紙プロファイルを記憶する記憶部と、環境条件を検知する検知部と、前記用紙プロファイルを管理すると共に、前記用紙プロファイルに基づいて前記画像形成部による前記用紙に対する画像形成を制御する制御部と、を有する画像形成装置、又は、前記画像形成装置に後処理部が接続された画像形成システム、のいずれかにおいて使用される前記用紙プロファイルを管理するために、前記画像形成装置又は前記画像形成システムのコンピュータを機能させる用紙プロファイル管理プログラムであって、
前記用紙プロファイルに含まれるいずれかの項目のうち、１つの項目に対して環境条件に応じた複数の設定値を割り当てるように管理し、
前記画像形成部で画像形成する際に、前記用紙プロファイルにおいて複数の設定値が割り当てられた項目に関しては、前記検知部で検知された前記環境条件に合致する設定値を適用するように前記制御部が制御し、
前記後処理部で後処理する際に、前記用紙プロファイルにおいて複数の設定値が割り当てられた項目に関しては、前記検知部で検知された前記環境条件に合致する設定値を適用するように前記制御部が制御する、
ことを特徴とする用紙プロファイル管理プログラム。
【請求項１８】
前記用紙プロファイルにおける特定の項目について、前記検知部で検知された前記環境条件に対応する設定値を新たに割り当てるよう前記制御部が管理する、
ことを特徴とする請求項１７に記載の用紙プロファイル管理プログラム。
【請求項１９】
前記画像形成装置は、各種操作を受け付ける操作部を備え、
前記用紙プロファイルにおいて複数の設定値を割り当て可能な項目に関しては、前記検知部で検知された前記環境条件に合致している設定値について、前記操作部での操作に応じて、入力もしくは変更を行うよう前記制御部が管理する、
ことを特徴とする請求項１７−１８に記載の用紙プロファイル管理プログラム。
【請求項２０】
前記画像形成装置は、各種操作を受け付ける操作部と、各種表示を行う表示部とを備え、
前記検知部で検知された前記環境条件を前記表示部に表示すると共に、前記用紙プロファイルにおいて複数の設定値を割り当て可能な項目に関して、前記操作部での操作に応じて、入力もしくは変更を行うよう前記制御部が管理する、
ことを特徴とする請求項１７−１８に記載の用紙プロファイル管理プログラム。
【発明の詳細な説明】
【技術分野】
【０００１】
本発明は、画像形成装置、画像形成システム、用紙プロファイル管理方法、及び用紙プロファイル管理プログラムに関し、画像形成に用いる用紙についての用紙プロファイルを適切に管理する技術に関する。
【背景技術】
【０００２】
電子写真方式のプリンタや複写機等の画像形成装置には、多様なプリント条件に対応するために複数種類の用紙を収容するトレイが各用紙別に複数設けられている。
そして、このような画像形成装置では、画像形成装置で使用される用紙の用紙種類，坪量，紙色，表裏の倍率差，帯電設定電位，転写電位，定着押圧力，糊温度，折り圧力といった用紙の種類や画像形成条件や後処理条件を示す属性情報を含んだ情報を「用紙設定情報」と呼んでいる。また、各用紙に対する用紙設定情報の集合を「用紙プロファイル」と呼ぶ。そして、画像形成装置では、この用紙プロファイルを、各トレイに割り当てるように設定し、画像形成の際には用紙プロファイルに応じて画像形成や後処理を制御するようにしている。
【０００３】
そのため、当該画像形成装置は、各トレイに設定された用紙情報のＩＤから、受け付けたプリントジョブに含まれる用紙情報で指定されるＩＤを検索することにより一のトレイを特定し、当該特定したトレイから用紙を給紙することができる。
【０００４】
このような用紙の給紙手順は、特に軽印刷の分野で必然性が高い。というのは、軽印刷の分野においては、用紙の種類が非常に多く存在しており、各々の用紙にはそれに適した詳細なプリント条件を設定しなければ、用紙上に適切な画像を形成することができないという事情があるからである。
【０００５】
ここで、紙色、紙種、坪量が同じ用紙でも、製造会社別や紙銘柄別に最適なプリント条件が異なる場合がある。このような場合には、紙銘柄別に用紙プロファイルを作成することになる。
【０００６】
例えば、同じ坪量の白色上質紙でも、ＫＭ製紙の「さくら上質紙」、「六甲上質紙」、「α上質紙」といった異なる銘柄が存在する場合に、「ＫＭ製紙さくら上質用紙プロファイル」、「ＫＭ製紙六甲上質用紙プロファイル」、「ＫＭ製紙α用紙プロファイル」などのように、最適なプリント条件を設定した用紙プロファイルを紙銘柄別に作成することもある。
【０００７】
また、最適なプリント条件は、上述した用紙プロファイルにより定まる以外に、環境条件（温度や湿度）によっても一部の項目の最適条件が変化することがある。
なお、このような画像形成装置における用紙情報や他の各種情報の取り扱いについては、以下の特許文献に関連した提案がなされている。
【先行技術文献】
【特許文献】
【０００８】
【特許文献１】特開２００３−１８７６号公報
【発明の概要】
【発明が解決しようとする課題】
【０００９】
上記特許文献１に記載の提案では、ロール紙印刷を行う印刷装置において、ロール部分に記憶素子が備えられている。そして、その記憶素子に、印刷環境特性情報を記録されており、その情報を読み込んで印刷処理を制御するものである。
【００１０】
この特許文献１記載の印刷装置では、環境条件毎に異なる特性情報が格納された複数のテーブルを予め用意しておき、実際の環境条件に応じて異なるテーブルを読み込むことで、プリント条件を決定するようにしている。なお、ここで、異なるテーブルを読み込むことは、異なる用紙プロファイルを読み込むことに相当する。
【００１１】
ところで、軽印刷分野で使用される画像形成装置では、上述した用紙プロファイルは、紙の種類に応じて多数存在しており、かつ、その内容が多岐にわたっている。
このため、各用紙プロファイルを環境条件に応じて作り替えるとなると、作り替える作業が面倒である。また、上述したように、紙種別だけでなく銘柄別などにより多数存在している用紙プロファイルが、ｘｘ用紙プロファイル・低温用、ｘｘ用紙プロファイル・通常用、ｘｘ用紙プロファイル・高温用、などと更に増えてしまうことは好ましくない。
【００１２】
また、画像形成装置において画像形成実行中には用紙に対応した用紙プロファイルに含まれる各種情報を読み込んで各種の制御しているため、画像形成中に環境条件（例えば温度）が変化したからといって、用紙プロファイルを別のものに変更することはできない。
【００１３】
すなわち、環境条件別に用紙プロファイルを作成したとしても、画像形成中に環境条件が変化した場合には、対処することができない状態である。
本発明はこのような課題に鑑みてなされたものであって、画像形成中に環境条件が変化した場合であっても対処して適切な画像形成をすることが可能な画像形成装置、画像形成システム、用紙プロファイル管理方法、及び用紙プロファイル管理プログラムを実現することを目的とする。
【課題を解決するための手段】
【００１４】
（１）本発明の一側面を反映した、画像形成装置、画像形成システム、用紙プロファイル管理方法、及び用紙プロファイル管理プログラムの一態様は、画像データに基づいて用紙に画像形成する画像形成部と前記用紙の画像形成に関連する情報としての用紙プロファイルを記憶する記憶部と、環境条件を検知する検知部と、前記用紙プロファイルを管理すると共に、前記用紙プロファイルに基づいて前記画像形成部による前記用紙に対する画像形成を制御する制御部と、を有する画像形成装置、又は、前記画像形成装置に後処理部が接続された画像形成システム、のいずれかにおいて使用される前記用紙プロファイルを管理する際に、前記用紙プロファイルに含まれるいずれかの項目のうち、１つの項目に対して環境条件に応じた複数の設定値を割り当てるように管理し、前記画像形成部で画像形成する際に、前記用紙プロファイルにおいて複数の設定値が割り当てられた項目に関しては、前記検知部で検知された前記環境条件に合致する設定値を適用するように前記制御部が制御し、前記後処理部で後処理する際に、前記用紙プロファイルにおいて複数の設定値が割り当てられた項目に関しては、前記検知部で検知された前記環境条件に合致する設定値を適用するように前記制御部が制御する、ことを特徴とする。
【００１５】
（２）上記（１）において、前記用紙プロファイルにおける特定の項目について、前記検知部で検知された前記環境条件に対応する設定値を新たに割り当てるよう前記制御部が管理する、ことを特徴とする。
【００１６】
（３）上記（１）−（２）において、前記画像形成装置は、各種操作を受け付ける操作部を備え、前記用紙プロファイルにおいて複数の設定値を割り当て可能な項目に関しては、前記検知部で検知された前記環境条件に合致している設定値について、前記操作部での操作に応じて、入力もしくは変更を行うよう前記制御部が管理する、ことを特徴とする。
【００１７】
（４）上記（１）−（２）において、前記画像形成装置は、各種操作を受け付ける操作部と、各種表示を行う表示部とを備え、前記検知部で検知された前記環境条件を前記表示部に表示すると共に、前記用紙プロファイルにおいて複数の設定値を割り当て可能な項目に関して、前記操作部での操作に応じて、入力もしくは変更を行うよう前記制御部が管理する、ことを特徴とする。
【発明の効果】
【００１８】
（１）上記の課題を解決する一態様において、画像形成装置又は画像形成システムのいずれかにおいて用紙プロファイルを管理する際に、用紙プロファイルに含まれるいずれかの項目のうち、１つの項目に対して環境条件に応じた複数の設定値を割り当てるように管理し、画像形成部で画像形成する際に、用紙プロファイルにおいて複数の設定値が割り当てられた項目に関しては、検知部で検知された環境条件に合致する設定値を適用するように制御部が制御し、後処理部で後処理する際に、用紙プロファイルにおいて複数の設定値が割り当てられた項目に関しては、検知部で検知された環境条件に合致する設定値を適用するように制御部が制御する。
【００１９】
これにより、多数の各用紙プロファイルを環境条件に応じて作り替える必要が無くなり、画像形成中や後処理中に環境条件が変化した場合にも用紙プロファイルを別のものに変更することなく、環境条件に応じた設定値を取得して対処でき、適切な画像形成や後処理をすることが可能になる。
【００２０】
（２）また、上記（１）において、用紙プロファイルにおける特定の項目について、検知部で検知された環境条件に対応する設定値を新たに割り当てるよう制御部が管理することで、用紙プロファイル中の項目に予め登録されている環境条件や設定値以外の、別な環境条件に対応した設定値を任意に割り当てることが可能になる。
【００２１】
たとえば、画像形成装置や後処理装置の設計時や製造時に想定していなかった環境条件で使用される場合にも、その環境条件に対応して適切な設定値を割り当てることができる。例えば、通常（常温）、高温、低温、と３種類の環境条件が予め定められている場合に、通常（常温）、超高温、高温、低温、極低温、などと環境条件の区分を変更することも可能である。これにより、多数の各用紙プロファイルを環境条件に応じて作り替える必要が無くなり、適切な画像形成や後処理をするための用紙プロファイルを管理することが可能になる。
【００２２】
（３）上記（１）−（２）において、用紙プロファイルにおいて複数の設定値を割り当て可能な項目に関しては、検知部で実際に検知されている環境条件に合致している設定値について、操作部での操作に応じて入力もしくは変更を行うよう管理するため、別な環境条件の設定値を間違って変更してしまう恐れはなく、実際に検知されている環境条件に対応した設定値を適切に割り当てることが可能になる。
【００２３】
これにより、多数の各用紙プロファイルを環境条件に応じて作り替える必要が無くなり、適切な画像形成や後処理をするための用紙プロファイルを管理することが可能になる。
（４）上記（１）−（２）において、検知部で検知された環境条件を表示部に表示すると共に、用紙プロファイルにおいて複数の設定値を割り当て可能な項目に関して、操作部での操作に応じて、入力もしくは変更を行うよう管理するため、別な環境条件の設定値を間違って変更してしまう恐れは少なくなり、実際に検知されている環境条件に対応した設定値を適切に割り当てることが可能になる。
【００２４】
これにより、多数の各用紙プロファイルを環境条件に応じて作り替える必要が無くなり、適切な画像形成や後処理をするための用紙プロファイルを管理することが可能になる。
【図面の簡単な説明】
【００２５】
【図１】本発明の実施形態の画像形成装置の構成を示すブロック図である。
【図２】本発明の実施形態の画像形成装置の構成を示す構成図である。
【図３】本発明の実施形態の画像形成装置の構成を示す構成図である。
【図４】本発明の実施形態の画像形成装置の動作を示すフローチャートである。
【図５】本発明の実施形態の画像形成装置の画面例を示す説明図である。
【図６】本発明の実施形態の画像形成装置の画面例を示す説明図である。
【図７】本発明の実施形態の画像形成装置の画面例を示す説明図である。
【図８】本発明の実施形態の画像形成装置の画面例を示す説明図である。
【図９】本発明の実施形態の画像形成装置の画面例を示す説明図である。
【図１０】本発明の実施形態の画像形成装置の画面例を示す説明図である。
【図１１】本発明の実施形態の画像形成装置の画面例を示す説明図である。
【図１２】本発明の実施形態の画像形成装置の動作を示すフローチャートである。
【発明を実施するための形態】
【００２６】
以下、図面を参照して本発明の画像形成装置、画像形成システム、用紙プロファイル管理方法、及び用紙プロファイル管理プログラムを実施するための形態（以下、実施形態）を詳細に説明する。
【００２７】
〈画像形成システムの全体構成〉
図１−３は本発明の実施の形態の概略構成を示す説明図である。ここで、図１は実施形態の画像形成システムの構成示し、図２は実施形態の画像形成システムの外観構成を示し、図３は画像形成システムにおける用紙搬送の流れを示している。
【００２８】
なお、ここでは、給紙装置として複数のトレイを有するトレイユニット３０Ａ、給紙装置として複数のトレイを有するトレイユニット３０Ｂ、画像形成装置１００、後処理装置４００を含んで、直列接続された状態の画像形成システムを具体例として示す。但し、接続台数や接続機器は、この例に限定されるものではない。
【００２９】
また、この画像形成システムでは、図２及び図３に示されるように、図面上で右から左に向けた用紙の流れに沿って、トレイユニット３０Ａ若しくは３０Ｂ、画像形成装置１００、画像形成された用紙に各種後処理（パンチ処理、ステイプル処理、糊付け製本処理など）を施す後処理装置４００、が用紙の流れに沿って直列接続されている。
【００３０】
また、トレイユニット３０Ａ、トレイユニット３０Ｂ、画像形成装置１００、後処理装置４００は、それぞれ通信部３５，１２５，４０５を介して、それぞれの制御部（給紙制御部３１，主制御部１５０（ＣＰＵ１５１），後処理制御部４０１）が通信することで連携した制御を行うように構成されている。
【００３１】
また、この画像形成システムでは、図示されない情報処理装置と共に動作することもあり、情報処理装置を画像形成システムの一部として扱うことも可能である。
〈画像形成システムの詳細構成〉
図１は、本発明の第１の実施の形態の用紙プロファイル管理を実行するための画像形成システムの主要部を構成する画像形成装置１００の構成を示している。
【００３２】
画像形成装置１００は、大きく分けて、プリンタコントローラ１１０と、スキャナ部１２２と、操作表示部１２３と、プリンタ部１２４と、通信部１２５と、給紙部１３０と、主制御部１５０と、を備えて構成される。
【００３３】
プリンタコントローラ１１０は、ＬＡＮ（Local Area Network）などのネットワークを介してパーソナルコンピュータ（ＰＣ）などの情報処理装置と接続されており、情報処理装置から送られてくるプリントジョブをラスタライズ処理してイメージデータを生成する処理（ＲＩＰ処理）を実行する機能を果たす。なお、イメージデータは画像形成に使用されるビットマップ形式の画像データである。
【００３４】
プリンタコントローラ１１０が情報処理装置から受信するプリントジョブは、文字や図形をコードデータやベクトルデータで表した印刷データ、たとえば、ＰＤＬ（Page Description Language：ページ記述言語）で記述された印刷データを含むものであり、ラスタライズ処理（ＲＩＰ処理）はコードデータやベクトルデータで構成される印刷データをビットマップ形式のイメージデータに展開する処理である。
【００３５】
プリンタコントローラ１１０は、当該プリンタコントローラ１１０の動作を統括制御するコントローラ制御部としてのＣＰＵ（Central Processing Unit）１１１と、ネットワークに接続するための通信機能を果たすＬＡＮ−ＩＦ部１１２と、ＲＩＰ処理により生成したイメージデータなどを記憶する画像メモリ１１３と、ネットワークから受信した印刷データやＲＩＰ処理の処理過程で生成される中間データなどを蓄積するハードディスク装置（ＨＤＤ）１１４と、画像メモリ１１３へのデータのリード／ライト機能およびプリンタ部１２４との間で各種データの送受信機能を果たすＤＲＡＭ（Dynamic Random Access Memory）制御部１１５とを有している。
【００３６】
このほか、図示省略してあるが、ＣＰＵ１１１には、当該ＣＰＵ１１１が読み出して実行するプログラムや固定データを記憶したＲＯＭ（Read Only Memory）およびＣＰＵ１１１がプログラムを実行する際に各種データを一時的に格納するためのワークメモリなどが接続されている。
【００３７】
スキャナ部１２２は、原稿をカラーもしくはモノクロで光学的に読み取って対応する画像データを取得する機能を果たすもので、ラインイメージセンサ１２２ａのほか、当該スキャナ部１２２の動作全体を制御するスキャナ制御部１２２ｂを備えている。
【００３８】
操作表示部１２３は、各種設定画面や操作画面などを表示する機能、オペレータに向けて各種案内情報や通知、警告などを表示する機能、オペレータから各種の設定／選択操作や編集操作、出力指示（画像形成の開始指示）を受け付ける機能を果たす。操作表示部１２３は、液晶ディスプレイからなる表示部１２３ａと、その画面上に敷設されたタッチスイッチおよびその他のスイッチから成る操作部１２３ｂと、表示部１２３ａおよび操作部１２３ｂを制御する操作制御部１２３ｃとを有して構成される。
【００３９】
プリンタ部１２４は、画像データに応じたトナー像を用紙に形成するプリントエンジン１２４ａやのほか、プリントエンジン１２４ａ中の各部の動作を制御するプリンタ制御部１２４ｂ、プリンタ部１２４内の温度や湿度等の環境条件を検知する検知部１２４ｓ、を有して、画像形成部を構成している。この環境条件としては、温度のみ、温度と湿度、温度と湿度と気圧、など、画像形成に影響を与えうる各種の組合せが可能である。
【００４０】
なお、スキャナ制御部１２２ｂ、操作制御部１２３ｃ、プリンタ制御部１２４ｂはそれぞれＣＰＵ（Central Processing Unit）およびＲＯＭ（Read Only Memory）、ＲＡＭ（Random Access Memory）などを主要部とする回路で構成されており、ＲＯＭに格納されたプログラムに従って各種の制御を実行する。
【００４１】
給紙部１３０は、ＣＰＵ１５１の指示により、画像形成のタイミングに合わせてトレイに収容された用紙を送り出す。
主制御部１５０は、各部の制御部と協調して画像形成装置１００全体の動作を統括制御する機能を果たすもので、ＣＰＵ１５１と、読み取り処理部１５２と、ＤＲＡＭ制御部１５３と、圧縮伸長部１５４と、半導体メモリで構成された画像メモリ１５５と、ハードディスク装置（ＨＤＤ）１５６と、書き込み処理部１５８と、ＲＯＭ１５９ａと、ＲＡＭ１５９ｂと、不揮発メモリ１５９ｃと、を備えて構成される。
【００４２】
ＣＰＵ１５１は、画像形成に関する動作全体を制御する機能を果たす。ＲＯＭ１５９ａには、プログラムや各種固定データなどが記憶されており、ＣＰＵ１５１はＲＯＭ１５９ａに格納されたプログラムに従って動作する。ＲＡＭ１５９ｂは、ＣＰＵ１５１がプログラムを実行する際に各種のデータを一時的に格納するワークメモリとして使用される。不揮発メモリ１５９ｃは、電源オフ後も記憶しておくべきユーザデータやシステムデータ、各種設定値などが記憶されるメモリである。
【００４３】
読み取り処理部１５２は、スキャナ部１２２の出力する画像データに対して拡大処理、鏡像処理、誤差拡散処理などを施す機能を果たす。
ＤＲＡＭ制御部１５３は、ダイナミックＲＡＭからなる画像メモリ１５５へのリード・ライトおよびリフレッシュのタイミング制御や、画像データを圧縮して画像メモリ１５５に格納したり、画像メモリ１５５から圧縮画像データを読み出して伸張したりする際のタイミング制御などを行う。
【００４４】
また、ＤＲＡＭ制御部１５３には、ＰＣＩ（Peripheral Component Interconnect）バスを通じてプリンタコントローラ１１０のＤＲＡＭ制御部１１５と接続され、プリンタコントローラ１１０との間で各種のデータを授受する機能を果たす。
【００４５】
圧縮伸長部１５４は、画像メモリ１５５を記憶領域として使用しつつ、画像データを圧縮して圧縮画像データを生成し、また、圧縮された画像データ（圧縮画像データ）を元のイメージデータに伸張する、圧縮処理機能と伸長処理機能とを果たす。
【００４６】
画像メモリ１５５は、圧縮伸長部１５４により使用され、圧縮して生成された圧縮画像データや伸長された画像データを記憶する機能を果たす。
ハードディスク装置１５６には、プリンタコントローラ１１０から受信したプリントジョブのデータ（ジョブデータ）などが記憶され保存される。
【００４７】
書き込み処理部１５８は、画像メモリ１５５から読み出して伸張された画像データに応じて、プリントエンジン１２４ａでの各色のトナー像形成のための露光をオン/オフさせるための信号を、プリントエンジン１２４ａの動作に応じたタイミングで出力する機能を果たす。
【００４８】
後処理装置４００は、後処理について制御を行う後処理制御部４０１と、画像形成装置１００等と通信を行う通信部４０５と、用紙に対して各種後処理（パンチ処理、ステイプル処理、糊付け製本処理など）を実行する後処理部４１０と、後処理部４１０内の温度や湿度等の環境条件を検知する検知部４１０ｓと、を有している。なお、検知部４１０ｓが検知する環境条件としては、温度のみ、温度と湿度、温度と湿度と気圧、など、後処理に影響を与えうる各種の組合せが可能である。
【００４９】
〈給紙部、トレイユニットの構成〉
この実施形態においては、図２，図３に示すように、画像形成装置１００内に３段のトレイを有する給紙部１３０、３段のトレイを有するトレイユニット３０Ａ、３段のトレイを有するトレイユニット３０Ｂが設けられている。
【００５０】
なお、トレイの段数やトレイユニットのユニット数は、あくまでも一例であり、トレイ単位、ユニット単位などで任意に増減することが可能である。
〈用語の定義〉
この実施形態において、画像形成装置で使用される用紙についての、用紙種類，斤量，紙色，表裏の倍率差，帯電設定電位，転写電位，定着圧力，糊温度，折り圧力といった用紙の種類やプリント条件を示す属性情報を含んだ用紙情報を、ひとまとまりのデータの集合として「用紙プロファイル」と呼んでいる。ここで、用紙種類，坪量，紙色，表裏の倍率差，帯電設定電位，転写電位，定着押圧力，糊温度，折り圧力といった、用紙プロファイルに含まれる情報の種類を「項目」と呼ぶ。また、各項目に設定されたデータや情報を、「設定値」と呼ぶ。
【００５１】
そして、この用紙プロファイルは、いずれかのトレイと対応付けられた用紙情報、あるいは、トレイと対応付けられていない用紙情報として設定され、不揮発メモリ１５９ｃなどの記憶部に記憶される。また、この用紙プロファイルは、一の画像形成を実行する際に参照される複数の用紙プロファイルが相互に関連付けされた状態で、かつ、関連付けされた複数の用紙プロファイルについては編集が制限される状態にして、不揮発メモリ１５９ｃなどの記憶部に記憶される。
【００５２】
〈用紙プロファイルの管理（記憶）〉
ここで、本実施形態の画像形成装置や画像形成システムにおける用紙プロファイルの管理（記憶）について、フローチャートや画面表示例を参照して動作を説明する。
【００５３】
なお、本実施形態の用紙プロファイル管理は外部のコンピュータを介して行うことも可能であるが、画像形成装置１００の操作表示部１２３により主制御部１５０が行う場合を具体例とする。
【００５４】
また、主制御部１５０は画像形成プログラムに関連した用紙プロファイル管理プログラムを動作させることにより、以下の用紙プロファイル管理を実行しているが、便宜上、主制御部１５０の制御として説明する。
【００５５】
主制御部１５０は用紙プロファイル管理の初期状態において、用紙プロファイル管理に関する初期画面として用紙プロファイル管理画面（図５参照）を操作表示部１２３に表示し、実行しようとする用紙プロファイル管理の処理が、既存の用紙プロファイルの編集処理であるか、新規の用紙プロファイルを作成処理であるか、を操作表示部１２３でのオペレータの操作に応じて処理を進める（図４中のステップＳ１００、Ｓ１０１）。
【００５６】
オペレータにより図５の画面でトレイの指定がなされ（図５（１））、「設定呼び出し」（図５（２））が押下されると、主制御部１５０は既存の用紙プロファイルの一覧（図示せず）を表示する。その用紙プロファイルの一覧の中からオペレータにより用紙プロファイルが指定されると、主制御部１５０は、その用紙プロファイルの用紙プロファイル名（図５（３））と設定内容（各項目とその設定値（図５（４）））とを、用紙プロファイル管理画面に表示する。
【００５７】
すなわち、主制御部１５０は、用紙プロファイル管理の既存編集であると判断し（図４中のステップＳ１０１で「既存編集」）、指定された用紙プロファイルを不揮発メモリ１５９ｃから読み出して、用紙プロファイル管理画面（図５）に反映させた状態で表示する（図４中のステップＳ１０２）。なお、この編集された用紙プロファイルについては、後述する記憶の際に、同名上書き保存、別名保存のいずれも可能である。
【００５８】
オペレータにより図５の画面でトレイの指定がなされ（図５（１））、「新規作成」（図５（５））が押下されると、主制御部１５０は、新規の用紙プロファイルの設定内容として、例えば、基本的な初期値が入力された状態の用紙プロファイル管理画面を表示する（図４中のステップＳ１０３）。この場合、オペレータが用紙プロファイル名（図５（３））を任意に入力する必要がある。
【００５９】
図５に示した用紙プロファイル管理では、既存の用紙プロファイルの編集、あるいは、用紙プロファイルの新規作成として、トレイ１に関連付けられた「ＫＭ製紙株式会社  さくら普通紙」についての管理が実行される様子を示している。
【００６０】
また、トレイに関連付けない用紙プロファイルを管理する場合には、主制御部１５０は、図６の用紙プロファイル管理に関する初期画面において、用紙プロファイル管理を選択して管理することが可能である。図６の場合には、「ＫＭ製紙株式会社  さくら普通紙」についての用紙プロファイル管理が実行される様子を示している。
【００６１】
ここで、用紙プロファイル管理画面においてオペレータが「設定変更」（図５（６）、または、図６（２））を押下した場合（図４中のステップＳ１０４でＹＥＳ）、主制御部１５０は、編集あるいは入力する項目を特定し、図７−図８に示す設定変更画面に表示する（図４中のステップＳ１０５）。
【００６２】
図５の用紙プロファイル管理画面では、用紙の表／裏、アイドル中／プリント中などの区別を含めて、合計３２項目の設定値が表示されていた。
これに対し、図７の設定変更画面では６項目のプロセス調整の設定値についての設定変更が可能であり、図８の設定変更画面では、４項目のプロセス調整の設定値についての設定変更が可能である。なお、図７や図８の設定変更画面では、「前頁」、「次頁」（図７（７）（８）参照）のタブ操作により、図７や図８や図示されない用紙プロファイル管理画面の間を自由に移動することが可能である。
【００６３】
また、ここでは、環境条件によらず、各項目に１つの設定値を設定する場合と、環境条件（通常／高温／低温）に応じて３つの設定値を割り当てる場合とが可能に管理される。
なお、環境条件としては、画像形成装置１００のプリントエンジン１２４ａに関連する項目では検知部１２４ｓの検知結果を意味しており、後処理装置４００の後処理部４１０に関連する項目では検知部４１０ｓの検知結果を意味している。
【００６４】
また、検知部１２４ｓや検知部４１０ｓが検知する環境条件としては、温度のみ、温度と湿度の組合せ、温度と湿度と気圧の組合せ、などが可能である。この実施形態では、環境条件として温度を具体例に用いて、低温：〜１５℃、通常（常温）：１６〜２４℃、高温：２５℃〜の場合を具体例にする。
【００６５】
この環境条件の種類の設定、区分の設定、具体的数値の設定については、図示されない管理画面などにおいて、操作表示部１２３からオペレータが入力した内容に基づいて、主制御部１５０が管理することが可能である。
【００６６】
たとえば、画像形成装置や後処理装置の設計時や製造時に想定していなかった環境条件で使用される場合にも、その環境条件に対応して適切な設定値を割り当てることができる。
【００６７】
すなわち、設計時や製造時に定められた項目数について、オペレータの希望によって、環境条件別複数設定値の割り当て数を変更するように主制御部１５０が制御することも可能である。例えば、通常（常温）、高温、低温、と３種類の環境条件が予め定められている場合に、通常（常温）、超高温、高温、低温、極低温、などと環境条件の区分を変更することも可能である。この場合、「環境条件別複数設定数変更」などのタブを設けておいて、オペレータの操作に基づいて、環境条件別の複数設定値を割り当てる数を、３から２に減じたり、３から５に増やしたり、といった制御が可能である。
【００６８】
また、環境条件によらず１つの設定値として設計時や製造時に定められた項目について、オペレータの希望によって、環境条件別複数設定値を割り当てるように主制御部１５０が制御することも可能である。この場合、「環境条件別複数設定値割り当て」などのタブを設けておいて、オペレータの操作に基づいて、環境条件別の複数設定値を割り当てるように制御すれば良い。
【００６９】
また、通常（常温）、高温、低温、と３種類の温度についての環境条件が予め定められている場合に、温度はあまり変化しないが湿度が変化する環境である場合に、通常（常湿）、高湿、低湿、などと環境条件の種類を変更することも可能である。
【００７０】
以上のように、用紙プロファイルにおける特定の項目について、環境条件に対応する設定値を新たに割り当てるよう主制御部１５０が管理することで、用紙プロファイル中の項目に予め登録されている環境条件や設定値以外の、別な環境条件に対応した設定値を任意に割り当てることが可能になる。これにより、多数の各用紙プロファイルを環境条件に応じて作り替える必要が無くなり、適切な画像形成や後処理をするための用紙プロファイルを管理することが可能になる。
【００７１】
図７の設定変更画面で、オペレータが「定着上ローラ温度（アイドリング）」（図７（１））の項目をクリックして、設定変更可能状態に選択する。
ここで、オペレータが、環境条件によらず１つの設定値のチェックボックス（上段側）にチェックマークを入れると（図４中のステップＳ１０６でＮＯ）、入力キーパッド（図７）等を介して、通常用の設定値を設定値入力欄に入力することができる。
【００７２】
一方、オペレータが、環境条件に応じて複数の設定値のチェックボックスにチェックマークを入れると（図４中のステップＳ１０６でＹＥＳ、図７（２））、主制御部１５０は、検知部１２４ｓや検知部４１０ｓの検知結果から環境条件を取得する（図４中のステップＳ１０７）と共に、設定変更詳細画面（図９参照）を表示する。
【００７３】
ここで、設定変更詳細画面においては、入力中の「定着上ローラ温度（アイドリング）」について、現時点で検出されている環境条件に対応した設定値を確実に入力できるように、配慮されている（図４中のステップＳ１０８）。ここで、主制御部１５０は、現時点での環境条件として「検出環境条件：高温」等のように、現時点での環境条件を設定変更詳細画面のいずれかの位置に表示する（図９（１））。
【００７４】
また、図１０の設定変更詳細画面に示すように、主制御部１５０は、現時点での環境条件に該当しない欄を入力できないように非アクティブ状態（図１０（１）、（２）のクロスハッチング領域）にすると共に、現時点での環境条件に該当する欄を入力できるアクティブ状態（図１０（３））に、制御することも可能である。
【００７５】
以上のようにすることで、設定変更詳細画面では、現時点での環境条件である高温に相当する欄に対して確実に設定値を入力あるいは編集することが可能になる。このため、別な環境条件の設定値を間違って変更してしまう恐れはなく、実際に検知されている環境条件に対応した設定値を適切に割り当てることが可能になる。
【００７６】
検知されている環境条件が常温であれば（図４中のステップＳ１０９で「常温」）、通常（常温）用の設定値入力欄がアクティブ状態になり、通常（常温）用の設定値をオペレータが入力する（図４中のステップＳ１１０）。検知されている環境条件が高温であれば（図４中のステップＳ１０９で「高温」）、高温の設定値入力欄がアクティブ状態になり、高温用の設定値をオペレータが入力する（図４中のステップＳ１１１）。検知されている環境条件が低温であれば（図４中のステップＳ１０９で「低温」）、低温の設定値入力欄がアクティブ状態になり、低温用の設定値をオペレータが入力する（図４中のステップＳ１１２）。
【００７７】
この図９又は図１０の設定変更詳細画面において「ＯＫ」がクリックされると、図７の設定変更画面に戻り、オペレータが次の項目について設定値を入力するよう、主制御部１５０が制御する（図４中のステップＳ１１３でＮＯ、Ｓ１１４、Ｓ１０６）。
【００７８】
用紙プロファイル設定画面において全ての項目について設定値の入力が完了してオペレータにより「ＯＫ」（図７（９））がクリックされると（図４中のステップＳ１１３でＹＥＳ）、主制御部１５０は、図５の用紙プロファイル管理画面を操作表示部１２３に表示する。
【００７９】
なお、以上のように、ある項目について、環境条件に応じて複数の設定値を割り当てた場合には、操作表示部１２３には、図１１のような用紙プロファイル管理画面が表示される。
【００８０】
ここでは、図１１（１）で「定着上ローラ温度（アイドリング）」について、「＋０／Ｍ，−５／Ｈ，＋１０／Ｌ」と表示されている。なお、／Ｍは通常、／Ｈは高温、／Ｌは低温を意味した表記である。これは、図７又は図９の「定着上ローラ温度（アイドリング）、通常＝＋０００、高温＝−００５、低温＝＋１００」の入力に応じた設定値となっていることが確認できる。
【００８１】
また、ここでは、図１１（２）で「２次転写押圧力」について、「自動／Ｍ，普通／Ｈ，低／Ｌ」と表示されている。ここも、／Ｍは通常、／Ｈは高温、／Ｌは低温を意味した表記である。これは、図８の「２次転写押圧力、通常＝自動、高温＝普通、低温＝低」の入力に応じた設定値となっていることが確認できる。
【００８２】
そして、この図１１の用紙プロファイル管理画面でオペレータにより「ＯＫ」（図１１（３））がクリックされると、主制御部１５０は、この用紙プロファイル管理画面で編集中の用紙プロファイル（用紙プロファイル名＝ＫＭ製紙株式会社  さくら普通紙）についての設定値を確定し、用紙プロファイルを不揮発メモリ１５９ｃに記憶する（図４中のステップＳ１１５）。なお、既存の用紙プロファイルを利用して設定値を編集し、別の用紙プロファイル名を付けて不揮発メモリ１５９ｃに記憶することも可能である。
【００８３】
なお、以上の説明では、画像形成装置１００での処理に関する項目と設定値とについて、複数の設定値を割り当てる場合には、検知部１２４ｓでの検知結果に基づくと説明してきた。これに対し、後処理装置４００に関連する項目として製本時の折り圧力や糊温度などは、検知部４１０ｓで検知された環境条件に応じて設定値の割り当てを定めることが望ましい。この場合、折り処理部と糊付け製本部で装置内部温度が著しく違う場合には、折り処理部近傍で検知された温度で折り処理を実行し、糊付け製本部近傍で検知された温度で糊付け処理を実行するように、それぞれに検知部を設けて、それぞれの検知結果で用紙プロファイル中の項目の設定値の適用を制御することが望ましい。
【００８４】
〈用紙プロファイルの管理（適用）〉
ここで、本実施形態の画像形成装置や画像形成システムにおけるプリントの際の用紙プロファイルの適用、すなわちプリント実行中における用紙プロファイルの適用について、フローチャートを参照して動作を説明する。
【００８５】
また、主制御部１５０は画像形成プログラムに関連した用紙プロファイル管理プログラムを動作させることにより、以下の用紙プロファイル管理を実行しているが、便宜上、主制御部１５０の制御として説明する。
【００８６】
主制御部１５０は、プリント開始の指示待ち状態で待機しており、プリント開始指示を操作表示部１２３や外部のコンピュータから受けると、以下の処理（プリント実行と用紙プロファイルの適用）を開始する（図１２中のステップＳ２０１）。
【００８７】
主制御部１５０は、プリント開始指示において指定された用紙トレイに対応付けて不揮発メモリ１５９ｃに記憶されている用紙プロファイルを、不揮発メモリ１５９ｃから読み出す（図１２中のステップＳ２０２）。
【００８８】
ここで、主制御部１５０は、読み出した用紙プロファイルについて、図５に示したように多数の項目が存在しているため、所定の順序に従って読み込む項目を指定する（図１２中のステップＳ２０３）。
【００８９】
主制御部１５０は、読み出した用紙プロファイル中の読み込んだ項目が環境条件別複数設定値に設定されているかを判断する（図１２中のステップＳ２０５）。
読み込んだ項目が環境条件別複数設定値に設定されていなければ（図１２中のステップＳ２０５でＮＯ）、その項目については単独の設定値であるので、読み込まれた項目の通常用の設定値をそのまま適用する（図１２中のステップＳ２０７）。
【００９０】
一方、読み込んだ項目が環境条件別の複数設定値として設定されていれば（図１２中のステップＳ２０５でＹＥＳ）、主制御部１５０は、検知部１２４ｓ又は検知部４１０ｓの検知結果からその時点での環境条件を取得すると共に判断する（図１２中のステップＳ２０５、Ｓ２０６）。
【００９１】
ここで、現時点の環境条件が常温であれば（図１２中のステップＳ２０６で「常温」）読み込まれた項目に含まれる通常用の設定値を適用し（図１２中のステップＳ２０７）、現時点の環境条件が高温であれば（図１２中のステップＳ２０６で「高温」）読み込まれた項目に含まれる高温用の設定値を適用し（図１２中のステップＳ２０８）、現時点の環境条件が低温であれば（図１２中のステップＳ２０６で「低温」）読み込まれた項目に含まれる低温用の設定値を適用する（図１２中のステップＳ２０９）。
【００９２】
主制御部１５０は、以上の各項目別の設置値の読み込みと適用（図１２中のステップＳ２０４〜Ｓ２０９）を、読み出した用紙プロファイル（図１２中のステップＳ２０２）中の全ての項目について繰り返す（図１２中のステップＳ２１０、Ｓ２１１、Ｓ２０４〜Ｓ２０９）。
【００９３】
そして、主制御部１５０は、読み出した用紙プロファイル中の全ての項目について設置値を読み込んだ状態で、その用紙プロファイルに従って画像形成システムの各部を制御しつつ、プリントと後処理を実行するよう制御する（図１２中のステップＳ２１２）。これにより、プリントと後処理とは、環境条件に応じて定められた複数の設定値が存在する場合には、環境条件に応じた適切な設定値が適用されるため、適切な状態でプリントや後処理が実行される。
【００９４】
また、主制御部１５０は、プリント指示されたジョブについて最終頁に至るまで、以上の用紙プロファイル中の各項目の設定値の読み込み、及び、環境条件別に複数設定値に設定されている項目については環境条件に基づく設定値の適用を、各頁のプリントと後処理を実行するに際して実行する（図１２中のステップＳ２１３、Ｓ２０２〜Ｓ２１２）。
【００９５】
以上のような用紙プロファイルに基づくプリントと後処理とにより、画像形成中や後処理中に環境条件が変化した場合にも環境条件に応じた適切な設定値を取得して対処でき、適切な画像形成や後処理をすることが可能になる。この結果、画像形成中や後処理中に環境条件が変化した場合に、多数の各用紙プロファイルを環境条件に応じて作り替える必要が無くなり、画像形成中に用紙プロファイルを別のものに変更する必要がなくなる。
【００９６】
〈その他の実施形態〉
以上、本発明の実施の形態を図面によって説明してきたが、具体的な構成は実施の形態に示したものに限られるものではなく、本発明の要旨を逸脱しない範囲における変更や追加があっても本発明に含まれる。
【００９７】
また、以上の実施の形態では、画像形成装置１００内の主制御部１５０が用紙プロファイルについて制御していたが、これに限定されるものではない。たとえば、図示されない情報処理装置としてのコンピュータが、制御部として、用紙プロファイル管理プログラムを用いて、用紙プロファイルの管理や記憶を行うことも可能である。
【符号の説明】
【００９８】
３０Ａ，３０Ｂ  トレイユニット
１１０  プリンタコントローラ
１１１  ＣＰＵ
１１２  ＬＡＮ−ＩＦ部
１１３  画像メモリ
１１４  ハードディスク装置（ＨＤＤ）
１１５  ＤＲＡＭ制御部
１２２  スキャナ部
１２３  操作表示部
１２４  プリンタ部
１３０  給紙部
１５０  主制御部
１５１  ＣＰＵ
１５２  読み取り処理部
１５３  ＤＲＡＭ制御部
１５４  圧縮伸長部
１５５  画像メモリ
１５６  ハードディスク装置（ＨＤＤ）
１５８  書き込み処理部
１５９ａ  ＲＯＭ
１５９ｂ  ＲＡＭ
１５９ｃ  不揮発メモリ
【図１】
2015001607.tif 000003
【図２】
2015001607.tif 000004
【図３】
2015001607.tif 000005
【図４】
2015001607.tif 000006
【図７】
2015001607.tif 000007
【図８】
2015001607.tif 000008
【図９】
2015001607.tif 000009
【図１０】
2015001607.tif 000010
【図１２】
2015001607.tif 000011
【図５】
2015001607.tif 000012
【図６】
2015001607.tif 000013
【図１１】
2015001607.tif 000014